(57)【要約】【課題】  異なる流体用のノーズとボディーが誤挿入されるのを容易かつ確実に防止できると共に、コストを低減できる管継手を提供する。【解決手段】  空気用の管継手１０は、雌型のボディー１２とノーズ４０で構成されている。ボディー１２の内側には、ボール１８を保持する保持部材１６と、ボディー１２の軸方向に移動可能な樹脂製のスリーブ２２とが内挿されている。スリーブ２２の内周面には、流体の種類別に異なる形状の段差部２２ａ，２２ｂが形成されている。スリーブ２２は、ノーズ４０に装着されるホースの外周面の色と同色（黄色）に着色されている。また、ノーズ４０の外周面は段階的に縮径され、段差部２２ａ，２２ｂと合致する形状の段差部４０ａ，４０ｂが形成されている。これにより、ノーズ４０をボディー１２に挿入する際に、スリーブ２２とノーズ２２のホースの色が同じであることを確認でき、誤挿入を防止できる。【選択図】  図１
2006153163.tif 000002
【特許請求の範囲】
【請求項１】
雌型のボディーと雄型のノーズとからなり、前記ボディーの凹状挿入部にノーズが挿入され、前記ノーズに形成された外溝へ前記凹状挿入部に内挿されたロック部材が嵌まり込むことによって結合状態となる管継手であって、
前記ボディーの凹状挿入部に内挿され、前記ロック部材の前記凹状挿入部からの抜け出しを阻止する保持部材と、
前記ロック部材の内側に設けられ、前記ボディーの軸方向へ移動し、前記ロック部材が外溝に嵌まり込むことを許容する樹脂製のスリーブと、を有し、
前記スリーブの内側形状と、この内側形状と合致する前記ノーズの外側形状とを流体の種類別に相違させ、
前記スリーブが、前記ノーズに取り付けられた管体の外面に付された流体の種類別の色表示と同色に着色されていることを特徴とする管継手。
【請求項２】
前記スリーブの内側は、前記ノーズの挿入方向に沿って縮径された段差部が形成され、前記段差部の形状を流体の種類別に異なる形状としたことを特徴とする請求項１に記載の管継手。
【発明の詳細な説明】
【技術分野】
【０００１】
本発明は、流体が流れる流路部を備えた雄型のノーズと雌型のボディーとからなる管継手であって、特に異なる種類の流体用のノーズとボディーとが誤挿入されるのを回避し得る管継手に関する。
【背景技術】
【０００２】
従来から、例えば医療用等の各種配管用の管継手では、流体の種類に応じてノーズ及びボディーを異なる形状とし、異なる流体用のノーズとボディーが誤配管されないように構成している。誤配管の防止機構についてはＪＩＳ Ｔ ７１１１に明記されており、医療用の管継手に取り入れるのは必須となっている。
【０００３】
図１３（Ａ）〜（Ｃ）は、空気、酸素、又は笑気ガスを流す管継手１００，１２０，１４０を示す半裁断面図である。
【０００４】
図１３（Ａ）に示すように、空気用の管継手１００は雌型のボディー１０２と雌型のノーズ１１２とを備えている。ボディー１０２の内側には、金属製の環状部材１０４が装着されており、この環状部材１０４の開孔１０６にはロック用のボール１０８が保持されている。環状部材１０４の内周側は、ノーズ１１２の挿入方向に沿って３段階に縮径された段部１０４ａ，１０４ｂ，１０４ｃを備えている。一方、ノーズ１１２は、挿入方向に沿って３段階に縮径されており、段部１０４ａ，１０４ｂ，１０４ｃと合致した形状の段部１１２ａ，１１２ｂ，１１２ｃを備えている。また、ノーズ１１２の挿入時にボール１０８と合致する位置には、溝部１１４が形成されている。そして、ノーズ１１２がボディー１０２に挿入されると、ノーズ１１２の段部１１２ａ，１１２ｂ，１１２ｃがボディー１０２の段部１０４ａ，１０４ｂ，１０４ｃと合致する位置まで挿入され、ボール１０８が溝部１１４に嵌まり込むことで、ノーズ１１２とボディー１０２とが結合される。
【０００５】
図１３（Ｂ）に示すように、酸素用の管継手１２０は、ボディー１２２の内側に空気用とは異なる形状の金属製の環状部材１２４が装着されている。この環状部材１２４は、ノーズ１３２の挿入方向に沿って２段階に縮径された段部１２４ａ，１２４ｂを備えている。一方、ノーズ１３２は、挿入方向に沿って２段階に縮径されており、段部１２４ａ，１２４ｂと合致した形状の段部１３２ａ，１３２ｂを備えている。ノーズ１３２がボディー１２２に挿入されると、ノーズ１３２の段部１３２ａ，１３２ｂがボディー１２２の段部１２４ａ，１２４ｂと合致する位置まで挿入され、ボール１０８が溝部１１４に嵌まり込むことで、ノーズ１３２とボディー１２２とが結合される。
【０００６】
また、図１３（Ｃ）に示すように、笑気用の管継手１４０は、ボディー１４２の内側に空気用、酸素用とは異なる形状の環状部材１４４が装着されている。この環状部材１４４は、ノーズ１３２の挿入方向に沿って２段階（酸素用とは異なる位置及び寸法）に縮径された段部１４４ａ，１４４ｂを備えている。一方、ノーズ１５２は、ノーズ１３２とは異なる箇所が挿入方向に沿って２段階に縮径されており、段部１４４ａ，１４４ｂと合致した形状の段部１５２ａ，１５２ｂを備えている。
【０００７】
このような管継手１００，１２０，１４０では、酸素用のノーズ１３２や笑気用のノーズ１５２を空気用のボディー１０２に挿入しても、環状部材１０４の段部１０４ａ，１０４ｂ，１０４ｃの形状と合致しないため、ボール１０８が溝部１１４に入り込まない。同様に、空気用のノーズ１１２や笑気用のノーズ１５２を酸素用のボディー１２２に挿入しても、また空気用のノーズ１１２や酸素用のノーズ１３２を笑気用のボディー１４２に挿入しても、ボール１０８が溝部１１４に入り込まない（例えば特許文献１を参照）。
【特許文献１】特開平７−３０１３８３号公報
【発明の開示】
【発明が解決しようとする課題】
【０００８】
図１３に示す管継手１００，１２０，１４０では、形状の異なるノーズ１１２，１３２，１５２をそれぞれ専用部品である環状部材１０４，１２４，１４４で受けることで、異なるガス同士のノーズ１１２，１３２，１５２とボディー１２２，１４２，１６２が誤配管されないように構成している。しかし、管継手１００，１２０，１４０は金属製で外観が酷似しており、また色識別ができないため、例えば空気用のボディー１２２に酸素用のノーズ１３２を誤って挿入してしまうことがある。このような場合、ノーズとボディーが結合されないが、正しいボディーとノーズを接続するために時間がかかる。特に、緊急を要する患者の場合には、一刻も早い接続作業が要求される。また、金属製の環状部材１０４，１２４，１４４は切削品となるため、加工のコストが上昇してしまう。
【０００９】
本発明は、上記問題点に鑑みてなされたものであり、異なる流体用のノーズとボディーが誤挿入されるのを容易かつ確実に防止できると共に、コストを低減できる管継手を提供することを目的とする。
【課題を解決するための手段】
【００１０】
請求項１に記載の発明は、雌型のボディーと雄型のノーズとからなり、前記ボディーの凹状挿入部にノーズが挿入され、前記ノーズに形成された外溝へ前記凹状挿入部に内挿されたロック部材が嵌まり込むことによって結合状態となる管継手であって、前記ボディーの凹状挿入部に内挿され、前記ロック部材の前記凹状挿入部からの抜け出しを阻止する保持部材と、前記ロック部材の内側に設けられ、前記ボディーの軸方向へ移動し、前記ロック部材が外溝に嵌まり込むことを許容する樹脂製のスリーブと、を有し、前記スリーブの内側形状と、この内側形状と合致する前記ノーズの外側形状とを流体の種類別に相違させ、前記スリーブが、前記ノーズに取り付けられた管体の外面に付された流体の種類別の色表示と同色に着色されていることを特徴としている。
【００１１】
請求項１に記載の発明によれば、ボディーの凹状挿入部に、ロック部材の抜け出しを阻止する保持部材とは別体で樹脂製のスリーブが内挿されている。このスリーブはボディーの軸方向に移動することで、ロック部材が外溝へ嵌まり込むことを許容する。また、スリーブはノーズの管体の外面に付された流体の種類別の色表示と同色に着色されている。これにより、ノーズに取り付けられた管体の色表示とスリーブとが同色であることを目視にて確認した上で、ノーズをボディーの凹状挿入部に挿入することが可能となる。また、スリーブの内側形状とノーズの外側形状は流体の種類別に相違しており、同種類の流体用のノーズがボディーに挿入されると、ノーズの外側形状とスリーブの内側形状が合致してロック部材がノーズの外溝に嵌まり込み、ボディーとノーズが結合される。一方、異なる種類の流体用のノーズがボディーの凹状挿入部に挿入されると、ノーズの外側形状とスリーブの内側形状が合致せず、ロック部材が外溝に嵌まり込まないため、ノーズとボディーが結合されない。
【００１２】
このような管継手では、樹脂製のスリーブを用いることで、スリーブの着色が可能となり、スリーブの色とノーズに取り付けられた管体の色表示とを確認した上でノーズを挿入できる。このため、ノーズとボディーの誤挿入をより確実に防止でき、正しいノーズとボディーを迅速に結合できる。また、流体の種類に応じてスリーブのみを専用部品とし、ボディーを共通部品化することができるため、コストを低減することが可能となる。また、樹脂製のスリーブを用いるため、金属製に比べて加工や材料コストを低減できる。
【００１３】
請求項２に記載の発明は、請求項１に記載の管継手において、前記スリーブの内側は、前記ノーズの挿入方向に沿って縮径された段差部が形成され、前記段差部の形状を流体の種類別に異なる形状としたことを特徴としている。
【００１４】
請求項２に記載の発明によれば、スリーブの内側がノーズの挿入方向に沿って縮径され、その段差部が流体の種類別に異なる形状となっているため、異なる流体のノーズがスリーブに挿入されても、ノーズの外側形状と段差部の形状が合致せず、ノーズを凹状挿入部の奥まで挿入することができない。このため、ノーズの外溝がロック部材に到達せず、ロック部材が外溝に嵌まり込まないため、誤配管（誤組品）をより確実に防止できる。
【発明の効果】
【００１５】
本発明に係る管継手は、ノーズの色表示とスリーブが同色であることを確認することができるため、異なる流体用のノーズがボディーに誤挿入されるのをより確実に防止でき、正しい配管を迅速に行うことができる。また、スリーブ以外のボディーを共通部品化することができ、コストを低減できる。
【発明を実施するための最良の形態】
【００１６】
以下、本発明の管継手における最良の実施の形態を図面に基づいて説明する。
【００１７】
図１（Ａ）は、本発明の一実施形態である空気用の管継手１０の結合状態を示す半裁断面図であり、図２（Ａ）は、この管継手１０の分離状態を示す半裁断面図である。なお、半裁断面図では、本発明の構成を分かりやすくするために、後に説明する保持部材１６、スリーブ２２及びノーズ４０の断面のみにハッチングを入れている。
【００１８】
空気用の管継手１０は、雌型金具であるボディー１２と、雄型金具であるノーズ４０とで構成されている。ボディー１２の外周面には、ボディー１２とノーズ４０とを連結するためのカラー３２が外挿されている。
【００１９】
図２（Ａ）に示すように、ボディー１２には、ノーズ４０が挿入される凹状挿入部１４が形成されている。凹状挿入部１４の挿入口側には、ボディー本体１３から突出するようにリング状の保持部材１６が装着されている。保持部材１６には開孔１６ａが形成されており、ロック用のボール１８が納められている。ボール１８はカラー３２によって押え込まれることで、離脱しないように保持されている。保持部材１６の内側にはスリーブ２２が内挿されている。保持部材１６の奥側に縮径部１６ｂが形成されており、スリーブ２２と縮径部１６ｂとの間にスプリング２０が介挿されることによって、スリーブ２２が凹状挿入部１４の挿入方向に移動可能となっている。
【００２０】
また、凹状挿入部１４には、保持部材１６よりも奥側に、ノーズ４０をシールする２つのＯ−リング２４，２４が係止リング２６，２６によって保持されている。さらに、係止リング２６，２６よりも奥側には、移動部材２８がスプリング３０を介して移動可能に弾着されている。
【００２１】
カラー３２の内側では、ボディー本体１３の外周面に段部１３ａが形成されており、この段部１３ａにスプリング３４が嵌められている。カラー３２の内周側には、段部１３ａに対向して段部３２ａが形成されており、カラー３２をボディー本体１３に嵌め込み、段部３２ａをもってスプリング３４を押圧することとなる。そして、カラー３２の凹部３２ｂと当接するボール１８によって、カラー３２の抜けを防止する。
【００２２】
図１（Ｂ）に示すように、スリーブ２２の内周面は、ノーズ４０の挿入方向奥側が縮径され、段差部２２ａ，２２ｂが形成されている。スリーブ２２の挿入口側には傾斜面２２ｃが形成されている。スリーブ２２は、ポリブチレンテレフタレートなどの合成樹脂で形成されており、黄色（Ｙ）に着色されている。また、ボディー１２、ノーズ４０にそれぞれ装着されるホース（図示せず）の外周面も黄色に着色されている。
【００２３】
図１（Ｃ）及び図２（Ａ）に示すように、ノーズ４０は、外周面の先端側が段階的に縮径されており、スリーブ２２の段差部２２ａ，２２ｂ及び傾斜面２２ｃと合致した形状の段差部４０ａ，４０ｂ及び傾斜面４０ｃが形成されている。また、ノーズ４０の外周面には、ボール１８が嵌まり込む溝部４１が形成されている。
【００２４】
次に、酸素用の管継手５０を図３及び図４に基づいて説明する。
【００２５】
なお、空気用の管継手１０と同一の部材には同一の符号を付し、重複した説明は省略する。
【００２６】
図４（Ａ）に示すように、酸素用の管継手５０は、ボディー５２の保持部材１６の内側に、空気用のスリーブ２２と異なる形状のスリーブ５４が内挿されている。すなわち、空気用のボディー１２と酸素用のボディー５２では、ボディー本体１３の構成部品は共通化されており、スリーブ２２，５４のみが異なる部品となっている。
【００２７】
図３（Ｂ）に示すように、スリーブ５４の内周面は、ノーズ６０の挿入方向奥側が縮径され、段差部５４ａ，５４ｂが形成されている。スリーブ５４の挿入口側には傾斜面５４ｃが形成されている。段差部５４ａ，５４ｂは、図１に示す空気用のスリーブ２２に比べて段差寸法が大きく、形状が異なっている。スリーブ５４は、合成樹脂で形成されており、緑色（Ｇ）に着色されている。また、ボディー５２、ノーズ６０にそれぞれ装着されるホース（図示せず）の外周面も緑色に着色されている。
【００２８】
図３（Ｃ）及び図４（Ａ）に示すように、ノーズ６０は、外周面の先端側が段階的に縮径されており、スリーブ５４の段差部５４ａ，５４ｂ及び傾斜面５４ｃと合致した形状の段差部６０ａ，６０ｂ及び傾斜面６０ｃが形成されている。
【００２９】
次に、笑気用の管継手７０を図５及び図６に基づいて説明する。
【００３０】
なお、空気用の管継手１０及び酸素用の管継手５０と同一の部材には同一の符号を付し、重複した説明は省略する。
【００３１】
図６（Ａ）に示すように、笑気用の管継手７０は、ボディー７２の保持部材１６の内側に、空気用のスリーブ２２、酸素用のスリーブ５４と異なる形状のスリーブ７４が内挿されている。すなわち、空気用のボディー１２と酸素用のボディー５２と笑気用のボディー７２では、ボディー本体１３の構成部品は共通化されており、スリーブ２２，５４，７４のみが異なる部品となっている。
【００３２】
図５（Ｂ）に示すように、スリーブ７４の内側には、平面状の内周部７４ａが形成されており、段差部は形成されていない。また、内周部７４ａの挿入口側は傾斜面７４ｂとなっている。このスリーブ７４は、合成樹脂で形成されており、青色（Ｂ）に着色されている。また、ボディー７２、ノーズ８０にそれぞれ装着されるホース（図示せず）の外周面も青色に着色されている。
【００３３】
図５（Ｃ）及び図６（Ａ）に示すように、ノーズ８０は、外周面の先端側が段階的に縮径されており、スリーブ７４の内周部７４ａ及び傾斜面７４ｂと合致した形状の段差部８０ａ及び傾斜面８０ｂが形成されている。
【００３４】
次に、空気用の管継手１０、酸素用の管継手５０、及び笑気用の管継手７０の作用について説明する。
【００３５】
図２（Ａ）に示す空気用の管継手１０のノーズ４０とボディー１２を結合するとき、ノーズ４０のホース（図示せず）の外周面が黄色で、ボディー１２の凹状挿入部１４内のスリーブ２２が黄色であることを確認する。この管継手１０では、通常はカラー３２の内周面にてボール１８が押え込まれているが（図１（Ａ）参照）、ノーズ４０をボディー１２の凹状挿入部１４に挿入する際には、カラー３２をスプリング３４の付勢力に抗して矢印Ａ方向に移動させる。これにより、カラー３２の内周面によるボール１８の押え込みが解かれ、カラー３２の凹部３２ｂに入ることでボール１８が自由に動くようになる。
【００３６】
図２（Ｂ）に示すように、ノーズ４０が凹状挿入部１４に挿入されると、ノーズ４０の段差部４０ａ，４０ｂ及び傾斜面４０ｃがスリーブ２２の段差部２２ａ，２２ｂ及び傾斜面２２ｃに合致して当接する。そして、図２（Ｃ）に示すように、ノーズ４０がスリーブ２２をスプリング２０の付勢力に抗して押圧し、ノーズ４０がスリーブ２２と共に凹状挿入部１４の奥側へ挿入される。
【００３７】
図１（Ａ）に示すように、ノーズ４０が凹状挿入部１４の奥側へ到達したときに、ノーズ４０の溝部４１にボール１８が嵌まり込む。この状態で、カラー３２をスプリング３４の付勢力によって元の位置に戻すことで、ボディー１２とノーズ４０とが連結される。ノーズ４０は、ボディー１２のＯ−リング２４，２４によってシールされる。
【００３８】
一方、ノーズ４０とボディー１２を分離する際には、カラー３２を矢印Ａ方向に移動させることで、ボール１８が凹部３２ｂ内で自由に動くようになり、ノーズ４０を凹状挿入部１４から引き抜くことができる。
【００３９】
図４（Ａ）に示す酸素用の管継手５０のノーズ６０とボディー５２を結合するとき、ノーズ６０のホース（図示せず）の外周面が緑色で、ボディー５２の凹状挿入部１４内のスリーブ５４が緑色であることを確認する。図４（Ｂ）に示すように、カラー３２をスプリング３４の付勢力に抗して矢印Ａ方向に移動させ、ノーズ６０を凹状挿入部１４に挿入すると、ノーズ６０の段差部６０ａ，６０ｂ及び傾斜面６０ｃがスリーブ５４の段差部５４ａ，５４ｂ及び傾斜面５４ｃに合致して当接する。そして、図４（Ｃ）に示すように、ノーズ６０を更に挿入すると、スリーブ５４がスプリング２０の付勢力に抗して押し込まれる。図３（Ａ）に示すように、ノーズ６０が凹状挿入部１４の奥側へ到達したときに、ノーズ６０の溝部４１にボール１８が嵌まり込み、カラー３２でボール１８を押え込むことで、ボディー５２とノーズ６０とが連結される。
【００４０】
図６（Ａ）に示す笑気用の管継手７０のノーズ８０とボディー７２を結合するとき、ノーズ８０のホース（図示せず）の外周面が青色で、ボディー７２の凹状挿入部１４内のスリーブ７４が青色であることを確認する。図６（Ｂ）に示すように、カラー３２をスプリング３４の付勢力に抗して矢印Ａ方向に移動させ、ノーズ８０を凹状挿入部１４に挿入すると、ノーズ８０の段差部８０ａ及び傾斜面８０ｂがスリーブ７４の内周部７４ａ及び傾斜面７４ｂに合致して当接する。そして、図６（Ｃ）に示すように、ノーズ８０を更に挿入すると、スリーブ７４がスプリング２０の付勢力に抗して押し込まれる。図５（Ａ）に示すように、ノーズ８０が凹状挿入部１４の奥側へ到達したときに、ノーズ８０の溝部４１にボール１８が嵌まり込み、カラー３２でボール１８を押え込むことで、ボディー７２とノーズ８０とが連結される。
【００４１】
一方、図７（Ａ）に示すように、空気用のボディー１２に酸素用のノーズ６０を誤って挿入したとき、ノーズ６０の段差部６０ａ，６０ｂがスリーブ２２の段差部２２ａ，２２ｂに合致せず、傾斜面２２ｃに引っ掛かる。このため、図７（Ｂ）に示すように、ノーズ６０を挿入してもスリーブ２２を奥まで押し込むことができず、ボール１８が段差部６０ａに引っ掛かる。この状態では、ボール１８が溝部４１でロックされないため、ノーズ６０とボディー１２とが連結されない。
【００４２】
図８（Ａ）に示すように、空気用のボディー１２に笑気用のノーズ８０を誤って挿入したとき、ノーズ８０の段差部８０ａ及び傾斜面８０ｂがスリーブ２２の段差部２２ａ，２２ｂ及び傾斜面２２ｃに合致せず、断サブ８０ａが段差部２２ａ，２２の間に引っ掛かる。このため、図８（Ｂ）に示すように、ノーズ８０を挿入してもスリーブ２２を奥まで押し込むことができず、ボール１８が段差部８０ａ及び傾斜面８０ｂに引っ掛かる。この状態では、ボール１８が溝部４１でロックされないため、ノーズ８０とボディー１２とが連結されない。
【００４３】
図９（Ａ）に示すように、酸素用のボディー５２に空気用のノーズ４０を誤って挿入したとき、ノーズ４０の段差部４０ａ，４０ｂがスリーブ５４の段差部５４ａ，５４ｂに合致せず、段差部４０ｂが段差部５４ａ，５４ｂの大に引っ掛かる。このため、図９（Ｂ）に示すように、ノーズ４０を挿入してもスリーブ５４を奥まで押し込むことができず、ボール１８が傾斜面４０ｃに引っ掛かる。この状態では、ボール１８が溝部４１でロックされないため、ノーズ４０とボディー５２が連結されない。
【００４４】
図１０（Ａ）に示すように、酸素用のボディー５２に笑気用のノーズ８０を誤って挿入したとき、ノーズ８０の段差部８０ａ及び傾斜面８０ｂがスリーブ５４の段差部５４ａ，５４ｂに合致せず、段差部８０ａが段差部５４ａ，５４ｂの間に引っ掛かる。このため、図１０（Ｂ）に示すように、ノーズ８０を挿入してもスリーブ５４を奥まで押し込むことができず、ボール１８が傾斜面８０ｂに引っ掛かる。この状態では、ボール１８が溝部４１でロックされないため、ノーズ８０とボディー５２が連結されない。
【００４５】
図１１（Ａ）に示すように、笑気用のボディー７２に空気用のノーズ４０を誤って挿入したとき、ノーズ４０の段差部４０ａ，４０ｂがスリーブ７４の内周部７４ａ及び傾斜面７４ｂに引っ掛かる。このため、図１１（Ｂ）に示すように、ノーズ４０を挿入してもスリーブ７４を奥まで押し込むことができず、ボール１８が傾斜面４０ｃに引っ掛かる。この状態では、ボール１８が溝部４１でロックされないため、ノーズ４０とボディー７２が連結されない。
【００４６】
図１２（Ａ）に示すように、笑気用のボディー７２に酸素用のノーズ６０を誤って挿入したとき、ノーズ６０の段差部６０ａ，６０ｂがスリーブ７４の内周部７４ａ及び傾斜面７４ｂに引っ掛かる。このため、図１２（Ｂ）に示すように、ノーズ６０を挿入してもスリーブ７４を奥まで押し込むことができず、ボール１８が傾斜面６０ｃに引っ掛かる。この状態では、ボール１８が溝部４１でロックされないため、ノーズ６０とボディー７２が連結されない。
【００４７】
このような空気用の管継手１０、酸素用の管継手５０、及び笑気用の管継手７０では、スリーブ２２、スリーブ５４、スリーブ７４が合成樹脂製でそれぞれ黄色、緑色、青色に着色されている。このため、ボディー１２とノーズ４０、ボディー５２とノーズ６０、ボディー７２とノーズ８０を連結する際に、ノーズ４０、ノーズ６０、ノーズ８０のホース（図示せず）の色と、スリーブ２２、スリーブ５４、スリーブ７４の色が同じであることを確認することができ、誤挿入をより確実に防止でき、正しい配管を迅速に行うことができる。また、ボディー１２、５２、７２は、ボディー本体１３が共通化され、スリーブ２２、５４、７４のみが専用部品であるため、部品コストを低減できると共に、組み立てが容易となる。
【図面の簡単な説明】
【００４８】
【図１】本発明の一実施形態に係る空気用の管継手、スリーブ、及びノーズを示す半裁断面図である。
【図２】本発明の一実施形態に係る空気用の管継手のボディーとノーズとを結合させる動作を示す半裁断面図である。
【図３】本発明の一実施形態に係る酸素用の管継手、スリーブ、及びノーズを示す半裁断面図である。
【図４】本発明の一実施形態に係る酸素用の管継手のボディーとノーズとを結合させる動作を示す半裁断面図である。
【図５】本発明の一実施形態に係る笑気用の管継手、スリーブ、及びノーズを示す半裁断面図である。
【図６】本発明の一実施形態に係る笑気用の管継手のボディーとノーズとを結合させる動作を示す半裁断面図である。
【図７】空気用ボディーに酸素用ノーズを挿入するときの誤組品を防止した状態を示す半裁断面図である。
【図８】空気用ボディーに笑気用ノーズを挿入するときの誤組品を防止した状態を示す半裁断面図である。
【図９】酸素用ボディーに空気用ノーズを挿入するときの誤組品を防止した状態を示す半裁断面図である。
【図１０】酸素用ボディーに笑気用ノーズを挿入するときの誤組品を防止した状態を示す半裁断面図である。
【図１１】笑気用ボディーに空気用ノーズを挿入するときの誤組品を防止した状態を示す半裁断面図である。
【図１２】笑気用ボディーに酸素用ノーズを挿入するときの誤組品を防止した状態を示す半裁断面図である。
【図１３】従来の空気用の管継手、酸素用の管継手、及び笑気用の管継手を示す半裁断面図である。
【符号の説明】
【００４９】
１０ 管継手
１２ ボディー
１３ ボディー本体
１３ａ      段部
１４ 凹状挿入部
１６ａ      開孔
１６ｂ      縮径部
１６ 保持部材
１８ ボール
２０ スプリング
２２ スリーブ
２２ａ，２２ｂ     段差部
２４，２４  リング
２６，２６  係止リング
２８ 移動部材
３０ スプリング
３２ カラー
３２ｂ      凹部
３２ａ      段部
３４ スプリング
４０ ノーズ
４０ａ，４０ｂ     段差部
４１ 溝部
５０ 管継手
５２ ボディー
５４ スリーブ
５４ａ，５４ｂ     段差部
６０ ノーズ
６０ａ，６０ｂ     段差部
６２ ボディー
７０ 管継手
７２ ボディー
７４ スリーブ
７４ａ      内周部
７４ｂ      傾斜面
８０ ノーズ
８０ａ      段差部
８０ｂ      傾斜面
【図１】
2006153163.tif 000003
【図２】
2006153163.tif 000004
【図３】
2006153163.tif 000005
【図４】
2006153163.tif 000006
【図５】
2006153163.tif 000007
【図６】
2006153163.tif 000008
【図７】
2006153163.tif 000009
【図８】
2006153163.tif 000010
【図９】
2006153163.tif 000011
【図１０】
2006153163.tif 000012
【図１１】
2006153163.tif 000013
【図１２】
2006153163.tif 000014
【図１３】
2006153163.tif 000015